(57)【要約】【課題】上位表示されるウェブページに共通する用語（形態素）の表示順位に対する特有度を算定し提示すること。【解決手段】ウェブページ解析装置は、ターゲット検索語を入力する入力手段と、ターゲット検索語を検索クエリとして含む検索リクエストの検索結果を取得する検索結果取得手段と、取得した検索結果内における表示順が上位の所定数のウェブページを解析対象ウェブページとし、各々の構造を所定のマークアップ言語により記述したウェブページデータを取得するウェブページデータ取得手段と、解析対象ウェブページの各々についてコンテントを形態素ごとに分割する形態素解析処理と、各形態素の表示順位に対する特有度を所定の評価関数に基づき算定する特有度算定処理を実行し前記形態素ごとの特有度を提示する解析手段と、を具備する。【選択図】図１
2018181007.tif 000002
【特許請求の範囲】
【請求項１】
ターゲット検索語を入力する入力手段と、
前記入力手段により入力されたターゲット検索語を検索クエリとして含む検索リクエストをネットワークに送信し、前記検索リクエストの検索結果を前記ネットワーク上の検索エンジンサーバ装置から取得する検索結果取得手段と、
前記検索結果取得手段が取得した検索結果内における表示順が上位の所定数のウェブページを解析対象ウェブページとし、前記所定数の解析対象ウェブページのＵＲＬを宛先とするリクエストを前記ネットワークに送信し、前記所定数の解析対象ウェブページの各々の構造を所定のマークアップ言語により記述したウェブページデータを取得するウェブページデータ取得手段と、
前記所定数の解析対象ウェブページの各々について、前記ウェブページ取得手段が取得した当該解析対象ウェブページのウェブページデータの要素のコンテントを形態素ごとに分割する形態素解析処理と、形態素解析処理により得られた当該解析対象ウェブページ内の各形態素の業界用語としての特有度を所定の評価関数に基づき算定する特有度算定処理とを実行し、前記形態素ごとの特有度を提示する解析手段と
を具備することを特徴とするウェブページ解析装置。
【請求項２】
前記解析手段は、
前記特有度算定処理において、
ある検索語ｗｉの検索上位Ｎサイトにおいて、ある形態素ｍｊが使用されているサイト数をｎｉｊとし、その割合を次式により算出し、
【数８】
2018181007.tif 000010
全ての検索語Ｗ＝（ｗ１、ｗ２、ｗ３…）それぞれの検索上位Ｎサイトにおいて、ある形態素ｍｊが使用される割合を次式により算出し、
【数９】
2018181007.tif 000011
任意の形態素ｍｊの任意の検索語ｗｉにおける検索語特有度ｓｉｊを次式に示される評価関数により算出する
【数１０】
2018181007.tif 000012
ことを特徴とする請求項１に記載のウェブページ解析装置。
【請求項３】
上記検索語特有度ｓｉｊとｐ（Ｗ，ｍj）とにより定義される２次元平面に全ての形態素をプロットした後、第１の評価関数ｆ１（ｐ（Ｗ，ｍj），ｓｉｊ）＝０、第２の評価関数ｆ２（ｐ（Ｗ，ｍj），ｓｉｊ）＝０となる領域境界により領域分けを行い、
第２の評価関数ｆ２（ｐ（Ｗ，ｍj），ｓｉｊ）に任意の特有度ｓiｊとｐ（Ｗ，ｍj）とを入力したときに、その出力値が正になる形態素を一般的な形態素とし、負となる形態素を業界から外れた形態素とする
請求項２に記載のウェブページ解析装置。
【請求項４】
前記解析手段は、
前記特有度算定処理において、
ある検索語ｗｉの検索上位Ｎサイトにおいて、ある形態素ｍｊが使用されているサイト数をｎｉｊとし、その割合を次式により算出し、
【数１１】
2018181007.tif 000013
全ての検索語Ｗ＝（ｗ１、ｗ２、ｗ３…）それぞれの検索上位Ｎサイトにおいて、ある形態素ｍｊが使用される割合を次式により算出し、
【数１２】
2018181007.tif 000014
関連がある検索語を取りまとめて市場を定義し、任意の市場ａに含まれる検索語Ｗａ＝（ｗa1、ｗa2、ｗa3…）それぞれの検索上位Nサイトにおいて、ある形態素ｍｊが使用される割合を次式により算出し、
【数１３】
2018181007.tif 000015
任意の形態素ｍｊの任意市場ａにおける市場特有度ｓaｊを次式で示される評価関数により算出する
【数１４】
2018181007.tif 000016
ことを特徴とする請求項１に記載のウェブページ解析装置。
【請求項５】
上記市場特有度ｓａｊとｐ（Ｗ，ｍj）とにより定義される２次元平面に全ての形態素をプロットした後、第１の評価関数ｆ１（ｐ（Ｗ，ｍj），ｓａｊ）＝０、第２の評価関数ｆ２（ｐ（Ｗ，ｍj），ｓａｊ）＝０となる領域境界により領域分けを行い、
第２の評価関数ｆ２（ｐ（Ｗ，ｍj），ｓａｊ）に任意の市場特有度ｓａｊとｐ（Ｗ，ｍj）とを入力したときに、その出力値が正になる形態素を一般的な形態素とし、負となる形態素を業界から外れた形態素とする
請求項４に記載のウェブページ解析装置。
【請求項６】
ターゲット検索語を入力する入力手段と、
前記入力手段により入力されたターゲット検索語を検索クエリとして含む検索リクエストをネットワークに送信し、前記検索リクエストの検索結果を前記ネットワーク上の検索エンジンサーバ装置から取得する検索結果取得手段と、
前記検索結果取得手段が取得した検索結果内における表示順が上位の所定数のウェブページを解析対象ウェブページとし、前記所定数の解析対象ウェブページのＵＲＬを宛先とするリクエストを前記ネットワークに送信し、前記所定数の解析対象ウェブページの各々の構造を所定のマークアップ言語により記述したウェブページデータを取得するウェブページデータ取得手段と、
前記所定数の解析対象ウェブページの各々について、前記ウェブページ取得手段が取得した当該解析対象ウェブページのウェブページデータの要素のコンテントを形態素ごとに分割する形態素解析処理と、形態素解析処理により得られた当該解析対象ウェブページ内の各形態素の業界用語としての特有度を所定の評価関数に基づき算定する特有度算定処理とを実行し、前記形態素ごとの特有度を提示する解析手段と、を具備し、
前記評価関数とは、ある検索語の検索上位Ｎサイトにおいて、ある形態素が使用されているサイト数の割合と、全ての検索語それぞれの検索上位Ｎサイトにおいて、ある形態素が使用される割合とに基づいて定義される
ことを特徴とするウェブページ解析装置。
【請求項７】
ウェブページ解析装置が、
ターゲット検索語を入力するステップと、
前記入力されたターゲット検索語を検索クエリとして含む検索リクエストをネットワークに送信し、前記検索リクエストの検索結果を前記ネットワーク上の検索エンジンサーバ装置から取得するステップと、
前記取得した検索結果内における表示順が上位の所定数のウェブページを解析対象ウェブページとし、前記所定数の解析対象ウェブページのＵＲＬを宛先とするリクエストを前記ネットワークに送信し、前記所定数の解析対象ウェブページの各々の構造を所定のマークアップ言語により記述したウェブページデータを取得するステップと、
前記所定数の解析対象ウェブページの各々について、前記取得した当該解析対象ウェブページのウェブページデータの要素のコンテントを形態素ごとに分割する形態素解析処理と、形態素解析処理により得られた当該解析対象ウェブページ内の各形態素の業界用語としての特有度を所定の評価関数に基づき算定する特有度算定処理とを実行し、前記形態素ごとの特有度を提示するステップと、を有する
ウェブページ解析方法。
【請求項８】
前記ウェブページ解析装置は、
前記特有度算定処理において、
ある検索語ｗｉの検索上位Ｎサイトにおいて、ある形態素ｍｊが使用されているサイト数をｎｉｊとし、その割合を次式により算出し、
【数１５】
2018181007.tif 000017
全ての検索語Ｗ＝（ｗ１、ｗ２、ｗ３…）それぞれの検索上位Ｎサイトにおいて、ある形態素ｍｊが使用される割合を次式により算出し、
【数１６】
2018181007.tif 000018
任意の形態素ｍｊの任意の検索語ｗｉにおける検索語特有度ｓｉｊを次式に示される評価関数により算出する
【数１７】
2018181007.tif 000019
ことを特徴とする請求項７に記載のウェブページ解析方法。
【請求項９】
上記検索語特有度ｓｉｊとｐ（Ｗ，ｍj）とにより定義される２次元平面に全ての形態素をプロットした後、第１の評価関数ｆ１（ｐ（Ｗ，ｍj），ｓｉｊ）＝０、第２の評価関数ｆ２（ｐ（Ｗ，ｍj），ｓｉｊ）＝０となる領域境界により領域分けを行い、
第２の評価関数ｆ２（ｐ（Ｗ，ｍj），ｓｉｊ）に任意の特有度ｓiｊとｐ（Ｗ，ｍj）とを入力したときに、その出力値が正になる形態素を一般的な形態素とし、負となる形態素を業界から外れた形態素とする
請求項８に記載のウェブページ解析方法。
【請求項１０】
前記ウェブページ解析装置は、
前記特有度算定処理において、
ある検索語ｗｉの検索上位Ｎサイトにおいて、ある形態素ｍｊが使用されているサイト数をｎｉｊとし、その割合を次式により算出し、
【数１８】
2018181007.tif 000020
全ての検索語Ｗ＝（ｗ１、ｗ２、ｗ３…）それぞれの検索上位Ｎサイトにおいて、ある形態素ｍｊが使用される割合を次式により算出し、
【数１９】
2018181007.tif 000021
関連がある検索語を取りまとめて市場を定義し、任意の市場ａに含まれる検索語Ｗａ＝（ｗa1、ｗa2、ｗa3…）それぞれの検索上位Nサイトにおいて、ある形態素ｍｊが使用される割合を次式により算出し、
【数２０】
2018181007.tif 000022
任意の形態素ｍｊの任意市場ａにおける市場特有度ｓaｊを次式で示される評価関数により算出する
【数２１】
2018181007.tif 000023
ことを特徴とする請求項７に記載のウェブページ解析方法。
【請求項１１】
上記市場特有度ｓａｊとｐ（Ｗ，ｍj）とにより定義される２次元平面に全ての形態素をプロットした後、第１の評価関数ｆ１（ｐ（Ｗ，ｍj），ｓａｊ）＝０、第２の評価関数ｆ２（ｐ（Ｗ，ｍj），ｓａｊ）＝０となる領域境界により領域分けを行い、
第２の評価関数ｆ２（ｐ（Ｗ，ｍj），ｓａｊ）に任意の市場特有度ｓａｊとｐ（Ｗ，ｍj）とを入力したときに、その出力値が正になる形態素を一般的な形態素とし、負となる形態素を業界から外れた形態素とする
請求項１０に記載のウェブページ解析方法。
【請求項１２】
ウェブページ解析装置が、
ターゲット検索語を入力するステップと、
前記入力されたターゲット検索語を検索クエリとして含む検索リクエストをネットワークに送信し、前記検索リクエストの検索結果を前記ネットワーク上の検索エンジンサーバ装置から取得するステップと、
前記取得した検索結果内における表示順が上位の所定数のウェブページを解析対象ウェブページとし、前記所定数の解析対象ウェブページのＵＲＬを宛先とするリクエストを前記ネットワークに送信し、前記所定数の解析対象ウェブページの各々の構造を所定のマークアップ言語により記述したウェブページデータを取得するステップと、
前記所定数の解析対象ウェブページの各々について、前記取得した当該解析対象ウェブページのウェブページデータの要素のコンテントを形態素ごとに分割する形態素解析処理と、形態素解析処理により得られた当該解析対象ウェブページ内の各形態素の業界用語としての特有度を所定の評価関数に基づき算定する特有度算定処理とを実行し、前記形態素ごとの特有度を提示するステップと、を有し、
前記評価関数とは、ある検索語の検索上位Ｎサイトにおいて、ある形態素が使用されているサイト数の割合と、全ての検索語それぞれの検索上位Ｎサイトにおいて、ある形態素が使用される割合とに基づいて定義される
ことを特徴とするウェブページ解析方法。
【請求項１３】
コンピュータを、
ターゲット検索語を入力する入力手段と、
前記入力手段により入力されたターゲット検索語を検索クエリとして含む検索リクエストをネットワークに送信し、前記検索リクエストの検索結果を前記ネットワーク上の検索エンジンサーバ装置から取得する検索結果取得手段と、
前記検索結果取得手段が取得した検索結果内における表示順が上位の所定数のウェブページを解析対象ウェブページとし、前記所定数の解析対象ウェブページのＵＲＬを宛先とするリクエストを前記ネットワークに送信し、前記所定数の解析対象ウェブページの各々の構造を所定のマークアップ言語により記述したウェブページデータを取得するウェブページデータ取得手段と、
前記所定数の解析対象ウェブページの各々について、前記ウェブページ取得手段が取得した当該解析対象ウェブページのウェブページデータの要素のコンテントを形態素ごとに分割する形態素解析処理と、形態素解析処理により得られた当該解析対象ウェブページ内の各形態素の業界用語としての特有度を所定の評価関数に基づき算定する特有度算定処理とを実行し、前記形態素ごとの特有度を提示する解析手段と
して機能させることを特徴とするプログラム。
【請求項１４】
前記解析手段は、
前記特有度算定処理において、
ある検索語ｗｉの検索上位Ｎサイトにおいて、ある形態素ｍｊが使用されているサイト数をｎｉｊとし、その割合を次式により算出し、
【数２２】
2018181007.tif 000024
全ての検索語Ｗ＝（ｗ１、ｗ２、ｗ３…）それぞれの検索上位Ｎサイトにおいて、ある形態素ｍｊが使用される割合を次式により算出し、
【数２３】
2018181007.tif 000025
任意の形態素ｍｊの任意の検索語ｗｉにおける検索語特有度ｓｉｊを次式に示される評価関数により算出する
【数２４】
2018181007.tif 000026
ことを特徴とする請求項１３に記載のプログラム。
【請求項１５】
上記検索語特有度ｓｉｊとｐ（Ｗ，ｍj）とにより定義される２次元平面に全ての形態素をプロットした後、第１の評価関数ｆ１（ｐ（Ｗ，ｍj），ｓｉｊ）＝０、第２の評価関数ｆ２（ｐ（Ｗ，ｍj），ｓｉｊ）＝０となる領域境界により領域分けを行い、
第２の評価関数ｆ２（ｐ（Ｗ，ｍj），ｓｉｊ）に任意の特有度ｓiｊとｐ（Ｗ，ｍj）とを入力したときに、その出力値が正になる形態素を一般的な形態素とし、負となる形態素を業界から外れた形態素とする
請求項１４に記載のプログラム。
【請求項１６】
前記解析手段は、
前記特有度算定処理において、
ある検索語ｗｉの検索上位Ｎサイトにおいて、ある形態素ｍｊが使用されているサイト数をｎｉｊとし、その割合を次式により算出し、
【数２５】
2018181007.tif 000027
全ての検索語Ｗ＝（ｗ１、ｗ２、ｗ３…）それぞれの検索上位Ｎサイトにおいて、ある形態素ｍｊが使用される割合を次式により算出し、
【数２６】
2018181007.tif 000028
関連がある検索語を取りまとめて市場を定義し、任意の市場ａに含まれる検索語Ｗａ＝（ｗa1、ｗa2、ｗa3…）それぞれの検索上位Nサイトにおいて、ある形態素ｍｊが使用される割合を次式により算出し、
【数２７】
2018181007.tif 000029
任意の形態素ｍｊの任意市場ａにおける市場特有度ｓaｊを次式で示される評価関数により算出する
【数２８】
2018181007.tif 000030
ことを特徴とする請求項１３に記載のプログラム。
【請求項１７】
上記市場特有度ｓａｊとｐ（Ｗ，ｍj）とにより定義される２次元平面に全ての形態素をプロットした後、第１の評価関数ｆ１（ｐ（Ｗ，ｍj），ｓａｊ）＝０、第２の評価関数ｆ２（ｐ（Ｗ，ｍj），ｓａｊ）＝０となる領域境界により領域分けを行い、
第２の評価関数ｆ２（ｐ（Ｗ，ｍj），ｓａｊ）に任意の市場特有度ｓａｊとｐ（Ｗ，ｍj）とを入力したときに、その出力値が正になる形態素を一般的な形態素とし、負となる形態素を業界から外れた形態素とする
請求項１６に記載のプログラム。
【請求項１８】
コンピュータが、
ターゲット検索語を入力する入力手段と、
前記入力手段により入力されたターゲット検索語を検索クエリとして含む検索リクエストをネットワークに送信し、前記検索リクエストの検索結果を前記ネットワーク上の検索エンジンサーバ装置から取得する検索結果取得手段と、
前記検索結果取得手段が取得した検索結果内における表示順が上位の所定数のウェブページを解析対象ウェブページとし、前記所定数の解析対象ウェブページのＵＲＬを宛先とするリクエストを前記ネットワークに送信し、前記所定数の解析対象ウェブページの各々の構造を所定のマークアップ言語により記述したウェブページデータを取得するウェブページデータ取得手段と、
前記所定数の解析対象ウェブページの各々について、前記ウェブページ取得手段が取得した当該解析対象ウェブページのウェブページデータの要素のコンテントを形態素ごとに分割する形態素解析処理と、形態素解析処理により得られた当該解析対象ウェブページ内の各形態素の業界用語としての特有度を所定の評価関数に基づき算定する特有度算定処理とを実行し、前記形態素ごとの特有度を提示する解析手段として機能し、
前記評価関数とは、ある検索語の検索上位Ｎサイトにおいて、ある形態素が使用されているサイト数の割合と、全ての検索語それぞれの検索上位Ｎサイトにおいて、ある形態素が使用される割合とに基づいて定義される
ことを特徴とするプログラム。
【発明の詳細な説明】
【技術分野】
【０００１】
この発明は、検索エンジン利用者（検索者）が用いる様々な検索語に含まれる用語（形態素）の傾向と、検索結果に表示される各ウェブページに含まれる用語の傾向とをそれぞれ計測及び解析を行い、それら膨大な用語群の中から、検索対象を説明するのにふさわしい的確な業界用語及び専門用語を推定したり、検索対象を説明するのにふさわしくない無関係または一般的過ぎる用語を推定したりすることによって、ウェブサイト管理者等に提示する技術に関する。
【背景技術】
【０００２】
近年、主要な検索エンジンにおいては、ウェブページのテキストデータを詳しく分析する自然文解析技術の向上が目覚ましい。最大手Google（登録商標）は、冊子『General Guidelines March14,2017』の中で、ウェブページ及びウェブサイトの「専門性(Expertise)」を、最重要要因(Most Important Factor)に挙げた。彼らは、今や数兆ページにも及ぶとされる世界中のウェブページを検索語ごとに序列化しなければならず、どのウェブページが検索語をより的確に説明しているかを判定する為に、それら各ウェブページに登場する１つ１つの用語の検索語に対する的確性について、数学的に計測・評価する必要性に迫られているものと考えられる。すでに一般論として、「業界特有の用語や専門用語を使って詳しく記述されているウェブページほど上位表示される傾向が強い」、「的外れまたは無関係な用語を使うと表示順位が低下する」などの主観的な論評があり、所謂「コンテンツマーケティング」と題される書籍やセミナーの需要を生み出している。ウェブサイト管理者らは、それらの概念的な情報を頼りに、膨大な用語群をスプレッドシートなどにリストアップし、重要と思われる用語と、一般的または無関係と思われる用語とを目視によって分類し、さらにそれら１つ１つの用語が含まれているサイトがどのような表示順位になっているかを確認することによって、それらの間に何らかの傾向や相関を見出そうとしたり、検索エンジンがどの用語を検索語の解説にふさわしい用語とみなしているかを見出そうとしたり等の、極めて主観的で煩雑な試みに苦慮している。
【０００３】
それらの試みによって、上位表示されやすいウェブページには、
1) 的確と思われる業界用語及び専門用語が網羅的に多く用いられている。
2) 的外れと思われる別業界の専門用語や無関係な用語が少ない。
等の傾向があることが確認されている。
【０００４】
検索語群の傾向と、上位表示されるウェブページに記載されている用語群の傾向とをそれぞれ解析することによって、客観的に、検索対象特有の業界用語及び専門用語とみられる用語を推定し、明示する装置が必要であると考えられる。
【０００５】
ここで、ウェブページを上位表示させる為の用語を発見することを趣旨としていると主張している技術としては、例えば、特定のウェブページが特定の用語で検索されたときに上位に表示するためのウェブページの改修にあたり、検索エンジンでの該用語の検索頻度及びウェブページ内での使用頻度及び該用語の類語を利用して挿入すべき用語を決定するプログラムを格納した記録媒体がある（例えば、特許文献１参照）。
【先行技術文献】
【特許文献】
【０００６】
【特許文献１】特開２００５−２５５０８号公報
【発明の概要】
【発明が解決しようとする課題】
【０００７】
しかしながら、特許文献１に開示されたものは、膨大な該用語候補群の中から、検索対象に特有の専門用語及び業界用語だけを的確に見分けたり選出したりする具体的な推定方法については明示されていない。また、表示順位を低下させる可能性が高い他業界用語や無関係な用語を判別する方法についても明示されていない。
【０００８】
本発明は、このような課題に鑑みてなされたものであり、検索語群の傾向と、各上位ウェブページに記載されている用語群の傾向とをそれぞれ解析することによって、ウェブサイト管理者が、客観的かつ合理的に用語の的確さを見分け、ウェブページ利用者に対して的確かつ専門性の高い情報提供を行えるよう促すとともに、そのようなウェブページを高く評価しようとする検索エンジンからさらに高い評価を得られるよう支援することを目的とするものである。
【課題を解決するための手段】
【０００９】
上記課題を解決するため、本発明の一態様に係るウェブページ解析装置は、ターゲット検索語を入力または選択する入力手段と、前記入力手段により入力されたターゲット検索語を検索クエリとして含む検索リクエストをネットワークに送信し、前記検索リクエストの検索結果を前記ネットワーク上の検索エンジンサーバ装置から取得する検索結果取得手段と、前記検索結果取得手段が取得した検索結果内における表示順が上位の所定数のウェブページを解析対象ウェブページとし、前記所定数の解析対象ウェブページのＵＲＬを宛先とするリクエストを前記ネットワークに送信し、前記所定数の解析対象ウェブページの各々の構造を所定のマークアップ言語により記述したウェブページデータを取得するウェブページデータ取得手段と、前記所定数の解析対象ウェブページの各々について、前記ウェブページ取得手段が取得した当該解析対象ウェブページのウェブページデータの要素のコンテントを形態素ごとに分割する形態素解析処理と、形態素解析処理により得られた当該解析対象ウェブページ内の各形態素の業界用語としての特有度を所定の評価関数に基づき算定する特有度算定処理とを実行し、前記形態素ごとの特有度を提示する解析手段とを具備することを特徴とする。
【００１０】
本発明の他の態様に係るウェブページ解析装置は、ターゲット検索語を入力する入力手段と、前記入力手段により入力されたターゲット検索語を検索クエリとして含む検索リクエストをネットワークに送信し、前記検索リクエストの検索結果を前記ネットワーク上の検索エンジンサーバ装置から取得する検索結果取得手段と、前記検索結果取得手段が取得した検索結果内における表示順が上位の所定数のウェブページを解析対象ウェブページとし、前記所定数の解析対象ウェブページのＵＲＬを宛先とするリクエストを前記ネットワークに送信し、前記所定数の解析対象ウェブページの各々の構造を所定のマークアップ言語により記述したウェブページデータを取得するウェブページデータ取得手段と、前記所定数の解析対象ウェブページの各々について、前記ウェブページ取得手段が取得した当該解析対象ウェブページのウェブページデータの要素のコンテントを形態素ごとに分割する形態素解析処理と、形態素解析処理により得られた当該解析対象ウェブページ内の各形態素の業界用語としての特有度を所定の評価関数に基づき算定する特有度算定処理とを実行し、前記形態素ごとの特有度を提示する解析手段と、を具備し、前記評価関数とは、ある検索語の検索上位Ｎサイトにおいて、ある形態素が使用されているサイト数の割合と、全ての検索語それぞれの検索上位Ｎサイトにおいて、ある形態素が使用される割合とに基づいて定義されることを特徴とする。
【００１１】
本発明の他の態様に係るウェブページ解析方法は、ウェブページ解析装置が、ターゲット検索語を入力するステップと、前記入力されたターゲット検索語を検索クエリとして含む検索リクエストをネットワークに送信し、前記検索リクエストの検索結果を前記ネットワーク上の検索エンジンサーバ装置から取得するステップと、前記取得した検索結果内における表示順が上位の所定数のウェブページを解析対象ウェブページとし、前記所定数の解析対象ウェブページのＵＲＬを宛先とするリクエストを前記ネットワークに送信し、前記所定数の解析対象ウェブページの各々の構造を所定のマークアップ言語により記述したウェブページデータを取得するステップと、前記所定数の解析対象ウェブページの各々について、前記取得した当該解析対象ウェブページのウェブページデータの要素のコンテントを形態素ごとに分割する形態素解析処理と、形態素解析処理により得られた当該解析対象ウェブページ内の各形態素の業界用語としての特有度を所定の評価関数に基づき算定する特有度算定処理とを実行し、前記形態素ごとの特有度を提示するステップとを有することを特徴とする。
【００１２】
本発明の他の態様に係るウェブページ解析方法は、ウェブページ解析装置が、ターゲット検索語を入力するステップと、前記入力されたターゲット検索語を検索クエリとして含む検索リクエストをネットワークに送信し、前記検索リクエストの検索結果を前記ネットワーク上の検索エンジンサーバ装置から取得するステップと、前記取得した検索結果内における表示順が上位の所定数のウェブページを解析対象ウェブページとし、前記所定数の解析対象ウェブページのＵＲＬを宛先とするリクエストを前記ネットワークに送信し、前記所定数の解析対象ウェブページの各々の構造を所定のマークアップ言語により記述したウェブページデータを取得するステップと、前記所定数の解析対象ウェブページの各々について、前記取得した当該解析対象ウェブページのウェブページデータの要素のコンテントを形態素ごとに分割する形態素解析処理と、形態素解析処理により得られた当該解析対象ウェブページ内の各形態素の業界用語としての特有度を所定の評価関数に基づき算定する特有度算定処理とを実行し、前記形態素ごとの特有度を提示するステップと、を有し、前記評価関数とは、ある検索語の検索上位Ｎサイトにおいて、ある形態素が使用されているサイト数の割合と、全ての検索語それぞれの検索上位Ｎサイトにおいて、ある形態素が使用される割合とに基づいて定義されることを特徴とする。
【００１３】
本発明の他の態様に係るプログラムは、コンピュータが、ターゲット検索語を入力する入力手段と、前記入力手段により入力されたターゲット検索語を検索クエリとして含む検索リクエストをネットワークに送信し、前記検索リクエストの検索結果を前記ネットワーク上の検索エンジンサーバ装置から取得する検索結果取得手段と、前記検索結果取得手段が取得した検索結果内における表示順が上位の所定数のウェブページを解析対象ウェブページとし、前記所定数の解析対象ウェブページのＵＲＬを宛先とするリクエストを前記ネットワークに送信し、前記所定数の解析対象ウェブページの各々の構造を所定のマークアップ言語により記述したウェブページデータを取得するウェブページデータ取得手段と、前記所定数の解析対象ウェブページの各々について、前記ウェブページ取得手段が取得した当該解析対象ウェブページのウェブページデータの要素のコンテントを形態素ごとに分割する形態素解析処理と、形態素解析処理により得られた当該解析対象ウェブページ内の各形態素の業界用語としての特有度を所定の評価関数に基づき算定する特有度算定処理とを実行し、前記形態素ごとの特有度を提示する解析手段として機能することを特徴とする。
【００１４】
本発明の他の態様に係るプログラムは、コンピュータを、ターゲット検索語を入力する入力手段と、前記入力手段により入力されたターゲット検索語を検索クエリとして含む検索リクエストをネットワークに送信し、前記検索リクエストの検索結果を前記ネットワーク上の検索エンジンサーバ装置から取得する検索結果取得手段と、前記検索結果取得手段が取得した検索結果内における表示順が上位の所定数のウェブページを解析対象ウェブページとし、前記所定数の解析対象ウェブページのＵＲＬを宛先とするリクエストを前記ネットワークに送信し、前記所定数の解析対象ウェブページの各々の構造を所定のマークアップ言語により記述したウェブページデータを取得するウェブページデータ取得手段と、前記所定数の解析対象ウェブページの各々について、前記ウェブページ取得手段が取得した当該解析対象ウェブページのウェブページデータの要素のコンテントを形態素ごとに分割する形態素解析処理と、形態素解析処理により得られた当該解析対象ウェブページ内の各形態素の業界用語としての特有度を所定の評価関数に基づき算定する特有度算定処理とを実行し、前記形態素ごとの特有度を提示する解析手段として機能させ、前記評価関数とは、ある検索語の検索上位Ｎサイトにおいて、ある形態素が使用されているサイト数の割合と、全ての検索語それぞれの検索上位Ｎサイトにおいて、ある形態素が使用される割合とに基づいて定義されることを特徴とする。
【発明の効果】
【００１５】
本発明によれば、上位表示されるウェブページに共通する用語（形態素）の業界用語としての特有度を算定し提示することで、合理的な工数で対象ウェブページの検索エンジンにおける競争力を高めるウェブページ解析装置、ウェブページ解析方法、及びプログラムを提供することができる。
【図面の簡単な説明】
【００１６】
【図１】本発明の第１実施形態であるウェブページ解析装置を含むウェブページ解析システムの全体構成を示す図である。
【図２】ウェブページ解析装置の処理を示すフローチャートである。
【図３】入力処理の詳細な処理手順を示す図である。
【図４】検索結果取得処理の詳細な処理手順を示す図である。
【図５】ウェブページデータ取得処理の詳細な処理手順を示す図である。
【図６】解析処理の詳細な処理手順を示す図である。
【図７】評価結果ページの表示画面の表示例を示す図である。
【図８】評価結果ページの表示画面の表示例を示す図である。
【図９】評価結果ページの表示画面の表示例を示す図である。
【図１０】本発明の第２実施形態に係るウェブページ評価装置による処理の一部を説明する図である。
【図１１】特有度に基づく形態素の領域分けについて説明する図である。
【発明を実施するための形態】
【００１７】
以下、図面を参照しつつ本発明の実施形態について説明する。
【００１８】
＜第１実施形態＞
【００１９】
図１は、本発明の第１実施形態であるウェブページ解析装置２０を含むウェブページ解析システム１の全体構成を示す図である。
【００２０】
このシステム１は、検索エンジン対策を支援するためのものである。より詳細には、検索エンジンでの検索で上位表示されるために不足している形態素をユーザに提示するものである。このシステム１のウェブページ解析装置２０は、ユーザから所望の検索キーワードをターゲット検索語として受け取り（画面上でのテキスト入力又は提示された候補からの選択などによる）、ターゲット検索語の検索結果の上位に現れるウェブページ内のどの語がその順位の獲得に寄与しているのかを解析する。そして、検索エンジン対策で評価ページに不足している形態素をユーザに提示する。
【００２１】
図１に示すように、ウェブページ解析システム１は、利用者端末１０、検索エンジンサーバ装置５０、及び、ウェブページ解析装置２０を有する。利用者端末１０、検索エンジンサーバ装置５０、及び、ウェブページ解析装置２０は、ネットワーク９０を介して接続される。
【００２２】
利用者端末１０は、パーソナルコンピュータである。利用者には、固有のＩＤとパスワードが付与されている。ユーザは、自らの利用者端末１０からウェブページ解析装置２０にアクセスして認証手続きを行い、サービスを利用する。
【００２３】
検索エンジンサーバ装置５０は、検索エンジンサービスを提供する役割を果たす装置である。検索エンジンサーバ装置５０は、インターネット９０に接続されているコンピュータから検索クエリを含むＨＴＴＰ（Hypertext Transfer Protocol）リクエスト（検索リクエスト）を受信し、インターネット９０内のウェブサイトＷＳの中からクエリに含まれる検索語との関連性が高いものを検索し、検索したウェブサイトＷＳのタイトル、ＵＲＬ（Uniform Resource Location）、スニペット（ウェブサイトの抜粋）のセットを検索順が上位のものから順に配した検索結果を返信する。
【００２４】
ウェブページ解析装置２０は、検索エンジン対策支援サービスを提供する役割を果たす装置である。ウェブページ解析装置２０は、通信インターフェース２１、ＣＰＵ２１、ＲＡＭ２３、ＲＯＭ２４、ハードディスク２５を有する。通信インターフェース２１は、インターネット９０に接続された装置との間でデータを送受信する。ＣＰＵ２１は、ＲＡＭ２３をワークエリアとして利用しつつ、ＲＯＭ２４やハードディスク２５に記憶された各種プログラムを実行する。ＲＯＭ２４には、ＩＰＬ（Initial Program Loader）などが記憶されている。ハードディスク２５には、本実施形態に特有の機能を有する解析プログラム２６が記憶されている。
【００２５】
次に、本実施形態の動作について説明する。
【００２６】
図２は、ウェブページ解析装置２０の処理を示すフローチャートである。
【００２７】
図２に示す処理は、解析プログラム２６により実現されるものである。ＣＰＵ２１は、プログラムを実行することで、入力手段と、検索結果取得手段と、ウェブページデータ取得手段と、解析手段として機能する。
【００２８】
先ず、ウェブページ解析装置２０のＣＰＵ２１は、入力処理を行う（Ｓ１００）。
【００２９】
図３に示すように、入力処理では、ＣＰＵ２１は、認証手続きを済ませた利用者端末１０に対し、入力画面の構造をＨＴＭＬ（Hyper Text Markup Language）により記述したウェブページデータを送信する。利用者端末１０は、このウェブページデータを受信すると、入力画面をユーザに提示する。入力画面には、「ターゲット検索語を入力してください」という文字列が表示される。その下には、キーワード入力欄５１がある。その下には、「上位何位のウェブページを解析対象とするかを入力してください」という文字列が入力される。その下には、上位１０位と上位２０位のうち一方を解析範囲として選択する解析範囲選択欄５２がある。その下には、送信ボタン５３がある。利用者は、入力画面のキーワード入力欄５１に所望のキーワードを入力すると共に解析範囲入力欄５２の２つの選択肢の何れかを選択し、送信ボタン５３を選択する。
【００３０】
キーワード入力欄５１に入力するキーワードは、一つの語であってもよいし、複数の語を間にスペースを挟んで並べたものであってもよい。送信ボタン５３が選択されると、利用者端末１０は、キーワード入力欄５１内と解析範囲入力欄５２内の情報を入力情報としてウェブページ解析装置２０に送信する。ＣＰＵ２１は、利用者端末１０から入力情報を受信すると、それをＲＡＭ２３に記憶させる。
【００３１】
次に、ＣＰＵ２２は、検索結果取得処理を行う（Ｓ１１０）。
【００３２】
図４に示すように、検索結果取得処理では、ＣＰＵ２１は、ＲＡＭ２３に入力情報として記憶されているターゲット検索語（図４の例では、化粧品  通販）を検索クエリとして含むＨＴＴＰリクエスト（検索リクエスト）をネットワーク９０に送信する。検索エンジンサーバ装置５０は、このリクエストを受信すると、検索アルゴリズムに従った検索を行い、検索結果をウェブページ解析装置２０に送信する。ＣＰＵ２２は、検索エンジンサーバ装置５０から検索結果を受信し、それをＲＡＭ２３に記憶させる。
【００３３】
次に、ＣＰＵ２２は、ウェブページデータ取得処理を行う（Ｓ１２０）。
【００３４】
図５に示すように、ウェブページデータ取得処理では、ＣＰＵ２１は、ＲＡＭ２３の検索結果内の各ウェブページのうちＲＡＭ２３の入力情報に応じた上位Ｎ位のウェブページを解析対象ウェブページＷＰｉ（ｉ＝１〜Ｎ、ｉは、検索結果内における順位を示すインデックス）とする。ＣＰＵ２２は、解析対象ウェブページＷＰｉ（ｉ＝１〜Ｎ）の各々のＵＲＬ（Uniform Resource Locator）を宛先とするＨＴＴＰリクエストをネットワーク９０に送信する。各ＨＴＴＰリクエストを受信したウェブサーバ装置は、解析対象ウェブページＷＰｉ（ｉ＝１〜Ｎ）の構造をＨＴＭＬにより記述したウェブページデータをウェブページ解析装置２０に返信する。そして、ＣＰＵ２２は、ウェブサーバ装置から解析対象ウェブページＷＰｉ（ｉ＝１〜Ｎ）のウェブページデータを受信し、それらをＲＡＭ２３に記憶する。
【００３５】
次に、ＣＰＵ２２は、解析処理を行う（Ｓ１３０）。
【００３６】
この解析処理では、ある検索語ｗｉに係るＲＡＭ２３内の解析対象ウェブページＷＰｉ（ｉ＝１〜Ｎ）のウェブページデータの各々について、特有度算定処理を行い、全ての解析対象ウェブページＷＰｉ（ｉ＝１〜Ｎ）の処理結果を得た後、算定結果提示処理を行う。
【００３７】
より詳細には、図６に示されるように、解析処理では、ＣＰＵ２２は、第１処理、第２処理、第３処理及び第４処理の４つの処理を行う。
【００３８】
第１処理では、ＲＡＭ２３内の解析対象ウェブページＷＰｉ（ｉ＝１〜Ｎ）のウェブページデータ内の要素における開始タグと終了タグに挟まれたコンテントを抽出し、抽出したコンテントに形態素解析処理を施し、形態素毎に分解する（Ｓ１３１）。このとき、形態素の基本形が同じものは同じ形態素とみなしている。
【００３９】
第２処理乃至第４処理では、各形態素の業界用語としての特有度を算定する特有度算定処理を行う（Ｓ１３２）。
【００４０】
先ず、第２処理では、ある検索語ｗｉの検索上位Ｎサイトにおいて、ある形態素ｍｊが使用されているサイト数をｎｉｊとすると、その割合を数式１により算出する。
【数１】
2018181007.tif 000003
【００４１】
例えば、検索語「歩行」の上位１０サイトで“歩く”が１０サイトの全てに使用されているときは、割合は、ｐ（「歩行」、“歩く”）＝１．０となる。一方、検索語「洋服」の上記１０サイトで“歩く”が３サイトのみで使用されているときは、割合は、ｐ（「洋服」、“歩く”）＝０．３となる。
【００４２】
続く第３処理では、全ての検索語Ｗ＝（ｗ１、ｗ２、ｗ３…）それぞれの検索上位Ｎサイトにおいて、ある形態素ｍｊが使用される割合を数式２により算出する。
【数２】
2018181007.tif 000004
【００４３】
そして、第４処理では、特有度算定を行う。より詳細には、任意の形態素ｍｊの任意の検索語ｗｉにおける検索語特有度ｓｉｊを数式３に示される評価関数により算出する。ここで、「検索語特有度」とは、各形態素が業界用語として汎用されているのか、あるいは業界用語としては一般的には汎用されていないのかを指標する特有度を意味する。
【数３】
2018181007.tif 000005
【００４４】
こうして、解析結果提示処理（Ｓ１３３）では、形態素毎に算定された特有度を、ユーザに対して提示する。
【００４５】
ここで、任意の形態素ｍｊの任意の検索語ｗｉにおける検索語特有度ｓｉｊが低くなる要因として、大きく２通りの傾向が考えられる。一つは、全業界における登場頻度であるｐ（Ｗ，ｍｊ）が大きくなることである。これは、その形態素が対象となる業界、検索語に特有の表現、語句ではなく一般的な語句であることを意味する。一方、ｐ（Ｗ，ｍｊ）が小さいがｐ（ｗｉ，ｍｊ）も小さい値を取ることもｓｉｊが低くなる要因として挙げられる。このような形態素は、一般的でも業界特有でもない表現、語句であると考えられる。
【００４６】
従って、ｓｉｊが低い形態素に対して、これら２通りの傾向のいずれに属しているかを判定することで、その形態素が対象となる業界用語として的外れな表現となっているのか、それとも業界用語として特有ではないが一般表現となっているのか等を推定することも可能となる。
【００４７】
以上をふまえて、ｓｉｊとｐ（Ｗ，ｍj）とにより定義される２次元平面に全ての形態素をプロットした後、第１の評価関数ｆ１（ｐ（Ｗ，ｍj），ｓｉｊ）＝０と第２の評価関数ｆ２（ｐ（Ｗ，ｍj），ｓｉｊ）＝０となる領域境界により領域分けを行う。
【００４８】
そして、第１の評価関数ｆ１に任意の特有度ｓｉｊとｐ（Ｗ，ｍj）とを入力したときに、その出力値が正になる形態素を「業界特有の形態素」とし、第１の評価関数ｆ１に任意の特有度ｓｉｊとｐ（Ｗ，ｍj）とを入力したときに、その出力値が負になる形態素のうち、第２の評価関数ｆ２に任意の特有度ｓｉｊとｐ（Ｗ，ｍj）とを入力したときに、その出力値が正になる形態素を「一般的な形態素」とし、負となる形態素を「業界から外れた形態素」とするようにしてもよい。第２の評価関数ｆ２の特質から、数式上、評価関数の出力値の正負によって一般的な形態素の属する領域か、業界から外れた形態素の属する領域かを判別することができる。
【００４９】
また、第１の評価関数ｆ１及び第２の評価関数ｆ２に任意の特有度ｓｉｊとｐ（Ｗ，ｍj）を入力したときの出力値の絶対値の大小によって、一般的な形態素と分類された形態素においてどの程度一般的なのかを定量的に示すことも可能となる。例えば、第２の評価関数についていえば、絶対値が大きくなれば大きくなるほど境界線から離れるため、一般的な語句とみなすことができ、逆に業界から外れた形態素と分類された形態素においても、絶対を見ることで、どの程度外れているかを判断できるようになる。
【００５０】
図７は、提示画面の表示例を示す図である。
【００５１】
この表示例では、ターゲット検索語を「化粧品  通販」とし、解析範囲を「上位１０位」とした場合のものである。図７に示されるように、表示画面の左上には、ターゲット検索語が表示される。表示画面の中央には、解析結果リストがある。解析結果リストは、１位からＮ（図７の例ではＮ＝１０）位の解析対象ウェブページＷＰｉ毎の解析結果が左から右に向かって配列したものである。図８に示されるように、提示画面に重ねられるようにして、各形態素ｍｊについて表示順位に対する検索語特有度を列挙した形式で表示する。尚、図９は、特有度順にソートした結果を示している。
【００５２】
この解析結果リストを参照することにより、ユーザは検索エンジンでの上位表示に効果的な形態素であって、自己の評価ページに不足している用語を把握可能となる。
【００５３】
以上が、本実施形態の詳細である。本実施形態によると、次の効果が得られる。
【００５４】
第１に、所定のターゲットワードに対する検索上位のウェブページを解析して、検索上位に寄与している形態素のそれぞれについて検索語特有度を定量的に把握することができるので、検索エンジン対策に寄与する形態素を効率よく見出すことが可能となる。
【００５５】
第２に、検索上位のウェブページの形態素群の中から、自己の評価ページに不足しているものを提示されたリストの中から迅速に見出すことが可能となる。
【００５６】
＜第２実施形態＞
【００５７】
第２実施形態に係るウェブページ解析システムの基本構成は第１実施形態と同様であるので、同一構成、フローチャート上のステップ番号については同一符号を用いて、アルゴリズム上、異なる解析処理を中心に説明する。
【００５８】
解析処理（Ｓ１３０）では、ある検索語ｗｉに係るＲＡＭ２３内の解析対象ウェブページＷＰｉ（ｉ＝１〜Ｎ）のウェブページデータの各々について、特有度算定処理を行い、全ての解析対象ウェブページＷＰｉ（ｉ＝１〜Ｎ）の処理結果を得た後、算定結果提示処理を行う。
【００５９】
より詳細には、図１０に示されるように、解析処理では、ＣＰＵ２２は、第１処理、第２処理、第３処理、第５処理、及び第６処理の５つの処理を行う。
【００６０】
第１処理では、ＲＡＭ２３内の解析対象ウェブページＷＰｉ（ｉ＝１〜Ｎ）のウェブページデータ内の要素における開始タグと終了タグに挟まれたコンテントを抽出し、抽出したコンテントに形態素解析処理を施し、形態素毎に分解する（Ｓ１３１）。このとき、形態素の基本形が同じものは同じ形態素とみなしている。
【００６１】
第２処理、第３処理、第５処理、及び第６処理では、各形態素が業界用語、更には業界の中の一市場における市場用語としての特有度を算定する市場特有度算定処理を行う（Ｓ１３２）。
【００６２】
先ず、第２処理では、ある検索語ｗｉの検索上位Ｎサイトにおいて、ある形態素ｍｊが使用されているサイト数をｎｉｊとすると、その割合を数式４により算出する。
【数４】
2018181007.tif 000006
【００６３】
続く第３処理では、全ての検索語Ｗ＝（ｗ１、ｗ２、ｗ３…）それぞれの検索上位Ｎサイトにおいて、ある形態素ｍｊが使用される割合を数式５により算出する。
【数５】
2018181007.tif 000007
【００６４】
第５処理では、関連がある検索語をまとめ市場を定義する。例えば、検索語「特許」、「特許情報プラットフォーム」、「特許事務所」、「特許申請」、「特許事務所  求人」などをまとめて「特許」市場が形成される。そして、任意の市場ａに含まれる検索語Ｗａ＝（ｗa1、ｗa2、ｗa3…）それぞれの検索上位Nサイトにおいて、ある形態素ｍｊが使用される割合を数式６により算定する。
【数６】
2018181007.tif 000008
【００６５】
そして、第６処理では、特有度算定を行う。より詳細には、任意の形態素ｍｊの任意市場ａにおける市場特有度ｓaｊを数式７に示される評価関数により算出する。ここで、「市場特有度」とは、各形態素の業界の中の一市場において市場用語として汎用されているのか、市場用語としては一般的に汎用されていないのかを指標する特有度を意味する。
【数７】
2018181007.tif 000009
【００６６】
こうして、解析結果提示処理（Ｓ１３３）では、形態素毎に算定された特有度を、ユーザに対して提示する。
【００６７】
ここで、任意の検索語ｗjにおいて形態素ｍｊの業界での市場特有度ｓａｊが低くなる要因として、大きく２通りの傾向が考えられる。一つは、全業界における登場頻度であるｐ（Ｗ，ｍｊ）が大きくなることである。これは、その形態素が対象となる業界、検索語に特有の表現、語句ではなく一般的な語句であることを意味する。一方、ｐ（Ｗ，ｍｊ）が小さいがｐ（ｗｉ，ｍｊ）も小さい値を取ることもｓａｊが低くなる要因として挙げられる。このような形態素は、一般的でも業界特有でもない表現、語句であると考えられる。
【００６８】
従って、ｓａｊが低い形態素に対して、これら２通りの傾向のいずれに属しているかを判定することで、その形態素が対象となる業界に対して的を外した表現となっているのか、それとも業界特有ではないが一般表現となっているのかを推定することも可能となる。
【００６９】
以上をふまえて、ｓａｊとｐ（Ｗ，ｍj）とにより定義される２次元平面に全ての形態素をプロットした後、第１の評価関数ｆ１（ｐ（Ｗ，ｍj），ｓａｊ）＝０、第２の評価関数ｆ２（ｐ（Ｗ，ｍj），ｓａｊ）＝０となる領域境界により領域分けを行う。
【００７０】
そして、第１の評価関数ｆ１に任意の特有度ｓａｊとｐ（Ｗ，ｍj）とを入力したときに、その出力値が正になる形態素を「業界特有の形態素」とし、第１の評価関数ｆ１に任意の特有度ｓａｊとｐ（Ｗ，ｍj）とを入力したときに、その出力値が負になる形態素のうち、あるいは、第２の評価関数ｆ２に任意の特有度ｓａｊとｐ（Ｗ，ｍj）とを入力したときに、その出力値が正になる形態素を一般的な形態素とし、負となる形態素を業界から外れた形態素とするようにしてもよい。第２の評価関数ｆ２の特質から、数式上、評価関数の出力値の正負によって一般的な形態素の属する領域か、業界から外れた形態素の属する領域かを判別することができる。
【００７１】
また、第１の評価関数ｆ１及び第２の評価関数ｆ２に任意の特有度ｓａｊとｐ（Ｗ，ｍj）を入力したときの出力値の絶対値の大小によって、一般的な形態素と分類された形態素においてどの程度一般的なのかを定量的に示すことも可能となる。例えば、第２の評価関数についていえば、絶対値が大きくなれば大きくなるほど境界線から離れるため、一般的な語句とみなすことができ、逆に業界から外れた形態素と分類された形態素においても、絶対を見ることで、どの程度外れているかを判断できるようになる。
【００７２】
以上が、本実施形態の詳細である。本実施形態によると、解析の精度をより高めることができる。尚、「特有度」という場合には、前述した検索語特有度と市場特有度の双方を含む広い概念を意味する。
【００７３】
以上説明した第１乃至代２実施形態は、コンピュータを、入力手段と、検索結果取得手段と、ウェブページデータ取得手段と、解析手段として機能させるプログラムとしても実現される。さらに、当該プログラムを記憶したコンピュータにより読み取り可能な記憶媒体としても実現されることは勿論である。
【００７４】
以上、本発明の第１乃至第２実施形態について説明したが、本発明はこれに限定されることなく、その趣旨を逸脱しない範囲で種々の改良が可能である。
【符号の説明】
【００７５】
１…ウェブページ解析システム、１０…利用者端末、２０…ウェブページ解析装置、２１…通信インターフェース、２２…ＣＰＵ、２３…ＲＡＭ、２４…ＲＯＭ、２５…ハードディスク、２６…解析プログラム、５０…検索エンジンサーバ装置、９０…ネットワーク。
【図１】
2018181007.tif 000031
【図２】
2018181007.tif 000032
【図３】
2018181007.tif 000033
【図４】
2018181007.tif 000034
【図５】
2018181007.tif 000035
【図６】
2018181007.tif 000036
【図７】
2018181007.tif 000037
【図８】
2018181007.tif 000038
【図９】
2018181007.tif 000039
【図１０】
2018181007.tif 000040
【図１１】
2018181007.tif 000041
【手続補正書】
【提出日】平成29年10月13日(2017.10.13)
【手続補正１】
【補正対象書類名】特許請求の範囲
【補正対象項目名】全文
【補正方法】変更
【補正の内容】
【特許請求の範囲】
【請求項１】
ターゲット検索語を入力する入力手段と、
前記入力手段により入力されたターゲット検索語を検索クエリとして含む検索リクエストをネットワークに送信し、前記検索リクエストの検索結果を前記ネットワーク上の検索エンジンサーバ装置から取得する検索結果取得手段と、
前記検索結果取得手段が取得した検索結果内における表示順が上位の所定数のウェブページを解析対象ウェブページとし、前記所定数の解析対象ウェブページのＵＲＬを宛先とするリクエストを前記ネットワークに送信し、前記所定数の解析対象ウェブページの各々の構造を所定のマークアップ言語により記述したウェブページデータを取得するウェブページデータ取得手段と、
前記所定数の解析対象ウェブページの各々について、前記ウェブページデータ取得手段が取得した当該解析対象ウェブページのウェブページデータの要素のコンテントを形態素ごとに分割する形態素解析処理と、形態素解析処理により得られた当該解析対象ウェブページ内の各形態素の業界用語としての特有度を所定の評価関数に基づき算定する特有度算定処理とを実行し、前記形態素ごとの特有度を提示する解析手段と、を具備し、
前記解析手段は、
前記特有度算定処理において、
ある検索語ｗｉの検索上位Ｎサイトにおいて、ある形態素ｍｊが使用されているサイト数をｎｉｊとし、その割合を次式により算出し、
【数８】
2018181007.tif 000042
全ての検索語Ｗ＝（ｗ１、ｗ２、ｗ３…）それぞれの検索上位Ｎサイトにおいて、ある形態素ｍｊが使用される割合を次式により算出し、
【数９】
2018181007.tif 000043
任意の形態素ｍｊの任意の検索語ｗｉにおける検索語特有度ｓｉｊを次式に示される評価関数により算出する
【数１０】
2018181007.tif 000044
ことを特徴とするウェブページ解析装置。
【請求項２】
上記検索語特有度ｓｉｊとｐ（Ｗ，ｍj）とにより定義される２次元平面に全ての形態素をプロットした後、第１の評価関数ｆ１（ｐ（Ｗ，ｍj），ｓｉｊ）＝０、第２の評価関数ｆ２（ｐ（Ｗ，ｍj），ｓｉｊ）＝０となる領域境界により領域分けを行い、
第２の評価関数ｆ２（ｐ（Ｗ，ｍj），ｓｉｊ）に任意の特有度ｓiｊとｐ（Ｗ，ｍj）とを入力したときに、その出力値が正になる形態素を一般的な形態素とし、負となる形態素を業界から外れた形態素とする
請求項１に記載のウェブページ解析装置。
【請求項３】
ターゲット検索語を入力する入力手段と、
前記入力手段により入力されたターゲット検索語を検索クエリとして含む検索リクエストをネットワークに送信し、前記検索リクエストの検索結果を前記ネットワーク上の検索エンジンサーバ装置から取得する検索結果取得手段と、
前記検索結果取得手段が取得した検索結果内における表示順が上位の所定数のウェブページを解析対象ウェブページとし、前記所定数の解析対象ウェブページのＵＲＬを宛先とするリクエストを前記ネットワークに送信し、前記所定数の解析対象ウェブページの各々の構造を所定のマークアップ言語により記述したウェブページデータを取得するウェブページデータ取得手段と、
前記所定数の解析対象ウェブページの各々について、前記ウェブページデータ取得手段が取得した当該解析対象ウェブページのウェブページデータの要素のコンテントを形態素ごとに分割する形態素解析処理と、形態素解析処理により得られた当該解析対象ウェブページ内の各形態素の業界用語としての特有度を所定の評価関数に基づき算定する特有度算定処理とを実行し、前記形態素ごとの特有度を提示する解析手段と、を具備し、
前記解析手段は、
前記特有度算定処理において、
ある検索語ｗｉの検索上位Ｎサイトにおいて、ある形態素ｍｊが使用されているサイト数をｎｉｊとし、その割合を次式により算出し、
【数１１】
2018181007.tif 000045
全ての検索語Ｗ＝（ｗ１、ｗ２、ｗ３…）それぞれの検索上位Ｎサイトにおいて、ある形態素ｍｊが使用される割合を次式により算出し、
【数１２】
2018181007.tif 000046
関連がある検索語を取りまとめて市場を定義し、任意の市場ａに含まれる検索語Ｗａ＝（ｗa1、ｗa2、ｗa3…）それぞれの検索上位Nサイトにおいて、ある形態素ｍｊが使用される割合を次式により算出し、
【数１３】
2018181007.tif 000047
任意の形態素ｍｊの任意市場ａにおける市場特有度ｓaｊを次式で示される評価関数により算出する
【数１４】
2018181007.tif 000048
ことを特徴とするウェブページ解析装置。
【請求項４】
上記市場特有度ｓａｊとｐ（Ｗ，ｍj）とにより定義される２次元平面に全ての形態素をプロットした後、第１の評価関数ｆ１（ｐ（Ｗ，ｍj），ｓａｊ）＝０、第２の評価関数ｆ２（ｐ（Ｗ，ｍj），ｓａｊ）＝０となる領域境界により領域分けを行い、
第２の評価関数ｆ２（ｐ（Ｗ，ｍj），ｓａｊ）に任意の市場特有度ｓａｊとｐ（Ｗ，ｍj）とを入力したときに、その出力値が正になる形態素を一般的な形態素とし、負となる形態素を業界から外れた形態素とする
請求項３に記載のウェブページ解析装置。
【請求項５】
ターゲット検索語を入力する入力手段と、
前記入力手段により入力されたターゲット検索語を検索クエリとして含む検索リクエストをネットワークに送信し、前記検索リクエストの検索結果を前記ネットワーク上の検索エンジンサーバ装置から取得する検索結果取得手段と、
前記検索結果取得手段が取得した検索結果内における表示順が上位の所定数のウェブページを解析対象ウェブページとし、前記所定数の解析対象ウェブページのＵＲＬを宛先とするリクエストを前記ネットワークに送信し、前記所定数の解析対象ウェブページの各々の構造を所定のマークアップ言語により記述したウェブページデータを取得するウェブページデータ取得手段と、
前記所定数の解析対象ウェブページの各々について、前記ウェブページデータ取得手段が取得した当該解析対象ウェブページのウェブページデータの要素のコンテントを形態素ごとに分割する形態素解析処理と、形態素解析処理により得られた当該解析対象ウェブページ内の各形態素の業界用語としての特有度を所定の評価関数に基づき算定する特有度算定処理とを実行し、前記形態素ごとの特有度を提示する解析手段と、を具備し、
前記評価関数とは、ある検索語の検索上位Ｎサイトにおいて、ある形態素が使用されているサイト数の割合と、全ての検索語それぞれの検索上位Ｎサイトにおいて、ある形態素が使用される割合とに基づいて定義される
ことを特徴とするウェブページ解析装置。
【請求項６】
ウェブページ解析装置が、
ターゲット検索語を入力するステップと、
前記入力されたターゲット検索語を検索クエリとして含む検索リクエストをネットワークに送信し、前記検索リクエストの検索結果を前記ネットワーク上の検索エンジンサーバ装置から取得するステップと、
前記取得した検索結果内における表示順が上位の所定数のウェブページを解析対象ウェブページとし、前記所定数の解析対象ウェブページのＵＲＬを宛先とするリクエストを前記ネットワークに送信し、前記所定数の解析対象ウェブページの各々の構造を所定のマークアップ言語により記述したウェブページデータを取得するステップと、
前記所定数の解析対象ウェブページの各々について、前記取得した当該解析対象ウェブページのウェブページデータの要素のコンテントを形態素ごとに分割する形態素解析処理と、形態素解析処理により得られた当該解析対象ウェブページ内の各形態素の業界用語としての特有度を所定の評価関数に基づき算定する特有度算定処理とを実行し、前記形態素ごとの特有度を提示するステップと、を有し、
前記ウェブページ解析装置は、
前記特有度算定処理において、
ある検索語ｗｉの検索上位Ｎサイトにおいて、ある形態素ｍｊが使用されているサイト数をｎｉｊとし、その割合を次式により算出し、
【数１５】
2018181007.tif 000049
全ての検索語Ｗ＝（ｗ１、ｗ２、ｗ３…）それぞれの検索上位Ｎサイトにおいて、ある形態素ｍｊが使用される割合を次式により算出し、
【数１６】
2018181007.tif 000050
任意の形態素ｍｊの任意の検索語ｗｉにおける検索語特有度ｓｉｊを次式に示される評価関数により算出する
【数１７】
2018181007.tif 000051
ことを特徴とするウェブページ解析方法。
【請求項７】
上記検索語特有度ｓｉｊとｐ（Ｗ，ｍj）とにより定義される２次元平面に全ての形態素をプロットした後、第１の評価関数ｆ１（ｐ（Ｗ，ｍj），ｓｉｊ）＝０、第２の評価関数ｆ２（ｐ（Ｗ，ｍj），ｓｉｊ）＝０となる領域境界により領域分けを行い、
第２の評価関数ｆ２（ｐ（Ｗ，ｍj），ｓｉｊ）に任意の特有度ｓiｊとｐ（Ｗ，ｍj）とを入力したときに、その出力値が正になる形態素を一般的な形態素とし、負となる形態素を業界から外れた形態素とする
請求項６に記載のウェブページ解析方法。
【請求項８】
ウェブページ解析装置が、
ターゲット検索語を入力するステップと、
前記入力されたターゲット検索語を検索クエリとして含む検索リクエストをネットワークに送信し、前記検索リクエストの検索結果を前記ネットワーク上の検索エンジンサーバ装置から取得するステップと、
前記取得した検索結果内における表示順が上位の所定数のウェブページを解析対象ウェブページとし、前記所定数の解析対象ウェブページのＵＲＬを宛先とするリクエストを前記ネットワークに送信し、前記所定数の解析対象ウェブページの各々の構造を所定のマークアップ言語により記述したウェブページデータを取得するステップと、
前記所定数の解析対象ウェブページの各々について、前記取得した当該解析対象ウェブページのウェブページデータの要素のコンテントを形態素ごとに分割する形態素解析処理と、形態素解析処理により得られた当該解析対象ウェブページ内の各形態素の業界用語としての特有度を所定の評価関数に基づき算定する特有度算定処理とを実行し、前記形態素ごとの特有度を提示するステップと、を有し、
前記ウェブページ解析装置は、
前記特有度算定処理において、
ある検索語ｗｉの検索上位Ｎサイトにおいて、ある形態素ｍｊが使用されているサイト数をｎｉｊとし、その割合を次式により算出し、
【数１８】
2018181007.tif 000052
全ての検索語Ｗ＝（ｗ１、ｗ２、ｗ３…）それぞれの検索上位Ｎサイトにおいて、ある形態素ｍｊが使用される割合を次式により算出し、
【数１９】
2018181007.tif 000053
関連がある検索語を取りまとめて市場を定義し、任意の市場ａに含まれる検索語Ｗａ＝（ｗa1、ｗa2、ｗa3…）それぞれの検索上位Nサイトにおいて、ある形態素ｍｊが使用される割合を次式により算出し、
【数２０】
2018181007.tif 000054
任意の形態素ｍｊの任意市場ａにおける市場特有度ｓaｊを次式で示される評価関数により算出する
【数２１】
2018181007.tif 000055
ことを特徴とするウェブページ解析方法。
【請求項９】
上記市場特有度ｓａｊとｐ（Ｗ，ｍj）とにより定義される２次元平面に全ての形態素をプロットした後、第１の評価関数ｆ１（ｐ（Ｗ，ｍj），ｓａｊ）＝０、第２の評価関数ｆ２（ｐ（Ｗ，ｍj），ｓａｊ）＝０となる領域境界により領域分けを行い、
第２の評価関数ｆ２（ｐ（Ｗ，ｍj），ｓａｊ）に任意の市場特有度ｓａｊとｐ（Ｗ，ｍj）とを入力したときに、その出力値が正になる形態素を一般的な形態素とし、負となる形態素を業界から外れた形態素とする
請求項８に記載のウェブページ解析方法。
【請求項１０】
ウェブページ解析装置が、
ターゲット検索語を入力するステップと、
前記入力されたターゲット検索語を検索クエリとして含む検索リクエストをネットワークに送信し、前記検索リクエストの検索結果を前記ネットワーク上の検索エンジンサーバ装置から取得するステップと、
前記取得した検索結果内における表示順が上位の所定数のウェブページを解析対象ウェブページとし、前記所定数の解析対象ウェブページのＵＲＬを宛先とするリクエストを前記ネットワークに送信し、前記所定数の解析対象ウェブページの各々の構造を所定のマークアップ言語により記述したウェブページデータを取得するステップと、
前記所定数の解析対象ウェブページの各々について、前記取得した当該解析対象ウェブページのウェブページデータの要素のコンテントを形態素ごとに分割する形態素解析処理と、形態素解析処理により得られた当該解析対象ウェブページ内の各形態素の業界用語としての特有度を所定の評価関数に基づき算定する特有度算定処理とを実行し、前記形態素ごとの特有度を提示するステップと、を有し、
前記評価関数とは、ある検索語の検索上位Ｎサイトにおいて、ある形態素が使用されているサイト数の割合と、全ての検索語それぞれの検索上位Ｎサイトにおいて、ある形態素が使用される割合とに基づいて定義される
ことを特徴とするウェブページ解析方法。
【請求項１１】
コンピュータを、
ターゲット検索語を入力する入力手段と、
前記入力手段により入力されたターゲット検索語を検索クエリとして含む検索リクエストをネットワークに送信し、前記検索リクエストの検索結果を前記ネットワーク上の検索エンジンサーバ装置から取得する検索結果取得手段と、
前記検索結果取得手段が取得した検索結果内における表示順が上位の所定数のウェブページを解析対象ウェブページとし、前記所定数の解析対象ウェブページのＵＲＬを宛先とするリクエストを前記ネットワークに送信し、前記所定数の解析対象ウェブページの各々の構造を所定のマークアップ言語により記述したウェブページデータを取得するウェブページデータ取得手段と、
前記所定数の解析対象ウェブページの各々について、前記ウェブページデータ取得手段が取得した当該解析対象ウェブページのウェブページデータの要素のコンテントを形態素ごとに分割する形態素解析処理と、形態素解析処理により得られた当該解析対象ウェブページ内の各形態素の業界用語としての特有度を所定の評価関数に基づき算定する特有度算定処理とを実行し、前記形態素ごとの特有度を提示する解析手段として機能させ、
前記解析手段は、
前記特有度算定処理において、
ある検索語ｗｉの検索上位Ｎサイトにおいて、ある形態素ｍｊが使用されているサイト数をｎｉｊとし、その割合を次式により算出し、
【数２２】
2018181007.tif 000056
全ての検索語Ｗ＝（ｗ１、ｗ２、ｗ３…）それぞれの検索上位Ｎサイトにおいて、ある形態素ｍｊが使用される割合を次式により算出し、
【数２３】
2018181007.tif 000057
任意の形態素ｍｊの任意の検索語ｗｉにおける検索語特有度ｓｉｊを次式に示される評価関数により算出する
【数２４】
2018181007.tif 000058
ことを特徴とするプログラム。
【請求項１２】
上記検索語特有度ｓｉｊとｐ（Ｗ，ｍj）とにより定義される２次元平面に全ての形態素をプロットした後、第１の評価関数ｆ１（ｐ（Ｗ，ｍj），ｓｉｊ）＝０、第２の評価関数ｆ２（ｐ（Ｗ，ｍj），ｓｉｊ）＝０となる領域境界により領域分けを行い、
第２の評価関数ｆ２（ｐ（Ｗ，ｍj），ｓｉｊ）に任意の特有度ｓiｊとｐ（Ｗ，ｍj）とを入力したときに、その出力値が正になる形態素を一般的な形態素とし、負となる形態素を業界から外れた形態素とする
請求項１１に記載のプログラム。
【請求項１３】
コンピュータを、
ターゲット検索語を入力する入力手段と、
前記入力手段により入力されたターゲット検索語を検索クエリとして含む検索リクエストをネットワークに送信し、前記検索リクエストの検索結果を前記ネットワーク上の検索エンジンサーバ装置から取得する検索結果取得手段と、
前記検索結果取得手段が取得した検索結果内における表示順が上位の所定数のウェブページを解析対象ウェブページとし、前記所定数の解析対象ウェブページのＵＲＬを宛先とするリクエストを前記ネットワークに送信し、前記所定数の解析対象ウェブページの各々の構造を所定のマークアップ言語により記述したウェブページデータを取得するウェブページデータ取得手段と、
前記所定数の解析対象ウェブページの各々について、前記ウェブページデータ取得手段が取得した当該解析対象ウェブページのウェブページデータの要素のコンテントを形態素ごとに分割する形態素解析処理と、形態素解析処理により得られた当該解析対象ウェブページ内の各形態素の業界用語としての特有度を所定の評価関数に基づき算定する特有度算定処理とを実行し、前記形態素ごとの特有度を提示する解析手段として機能させ、
前記解析手段は、
前記特有度算定処理において、
ある検索語ｗｉの検索上位Ｎサイトにおいて、ある形態素ｍｊが使用されているサイト数をｎｉｊとし、その割合を次式により算出し、
【数２５】
2018181007.tif 000059
全ての検索語Ｗ＝（ｗ１、ｗ２、ｗ３…）それぞれの検索上位Ｎサイトにおいて、ある形態素ｍｊが使用される割合を次式により算出し、
【数２６】
2018181007.tif 000060
関連がある検索語を取りまとめて市場を定義し、任意の市場ａに含まれる検索語Ｗａ＝（ｗa1、ｗa2、ｗa3…）それぞれの検索上位Nサイトにおいて、ある形態素ｍｊが使用される割合を次式により算出し、
【数２７】
2018181007.tif 000061
任意の形態素ｍｊの任意市場ａにおける市場特有度ｓaｊを次式で示される評価関数により算出する
【数２８】
2018181007.tif 000062
ことを特徴とするプログラム。
【請求項１４】
上記市場特有度ｓａｊとｐ（Ｗ，ｍj）とにより定義される２次元平面に全ての形態素をプロットした後、第１の評価関数ｆ１（ｐ（Ｗ，ｍj），ｓａｊ）＝０、第２の評価関数ｆ２（ｐ（Ｗ，ｍj），ｓａｊ）＝０となる領域境界により領域分けを行い、
第２の評価関数ｆ２（ｐ（Ｗ，ｍj），ｓａｊ）に任意の市場特有度ｓａｊとｐ（Ｗ，ｍj）とを入力したときに、その出力値が正になる形態素を一般的な形態素とし、負となる形態素を業界から外れた形態素とする
請求項１３に記載のプログラム。
【請求項１５】
コンピュータが、
ターゲット検索語を入力する入力手段と、
前記入力手段により入力されたターゲット検索語を検索クエリとして含む検索リクエストをネットワークに送信し、前記検索リクエストの検索結果を前記ネットワーク上の検索エンジンサーバ装置から取得する検索結果取得手段と、
前記検索結果取得手段が取得した検索結果内における表示順が上位の所定数のウェブページを解析対象ウェブページとし、前記所定数の解析対象ウェブページのＵＲＬを宛先とするリクエストを前記ネットワークに送信し、前記所定数の解析対象ウェブページの各々の構造を所定のマークアップ言語により記述したウェブページデータを取得するウェブページデータ取得手段と、
前記所定数の解析対象ウェブページの各々について、前記ウェブページデータ取得手段が取得した当該解析対象ウェブページのウェブページデータの要素のコンテントを形態素ごとに分割する形態素解析処理と、形態素解析処理により得られた当該解析対象ウェブページ内の各形態素の業界用語としての特有度を所定の評価関数に基づき算定する特有度算定処理とを実行し、前記形態素ごとの特有度を提示する解析手段として機能し、
前記評価関数とは、ある検索語の検索上位Ｎサイトにおいて、ある形態素が使用されているサイト数の割合と、全ての検索語それぞれの検索上位Ｎサイトにおいて、ある形態素が使用される割合とに基づいて定義される
ことを特徴とするプログラム。
【手続補正２】
【補正対象書類名】明細書
【補正対象項目名】０００９
【補正方法】変更
【補正の内容】
【０００９】
上記課題を解決するため、本発明の一態様に係るウェブページ解析装置は、ターゲット検索語を入力する入力手段と、前記入力手段により入力されたターゲット検索語を検索クエリとして含む検索リクエストをネットワークに送信し、前記検索リクエストの検索結果を前記ネットワーク上の検索エンジンサーバ装置から取得する検索結果取得手段と、前記検索結果取得手段が取得した検索結果内における表示順が上位の所定数のウェブページを解析対象ウェブページとし、前記所定数の解析対象ウェブページのＵＲＬを宛先とするリクエストを前記ネットワークに送信し、前記所定数の解析対象ウェブページの各々の構造を所定のマークアップ言語により記述したウェブページデータを取得するウェブページデータ取得手段と、前記所定数の解析対象ウェブページの各々について、前記ウェブページデータ取得手段が取得した当該解析対象ウェブページのウェブページデータの要素のコンテントを形態素ごとに分割する形態素解析処理と、形態素解析処理により得られた当該解析対象ウェブページ内の各形態素の業界用語としての特有度を所定の評価関数に基づき算定する特有度算定処理とを実行し、前記形態素ごとの特有度を提示する解析手段と、を具備し、前記解析手段は、前記特有度算定処理において、ある検索語ｗｉの検索上位Ｎサイトにおいて、ある形態素ｍｊが使用されているサイト数をｎｉｊとし、その割合を次式により算出し、
【数２９】
2018181007.tif 000063
全ての検索語Ｗ＝（ｗ１、ｗ２、ｗ３…）それぞれの検索上位Ｎサイトにおいて、ある形態素ｍｊが使用される割合を次式により算出し、
【数３０】
2018181007.tif 000064
任意の形態素ｍｊの任意の検索語ｗｉにおける検索語特有度ｓｉｊを次式に示される評価関数により算出する
【数３１】
2018181007.tif 000065
ことを特徴とする。
【手続補正３】
【補正対象書類名】明細書
【補正対象項目名】００１１
【補正方法】変更
【補正の内容】
【００１１】
本発明の他の態様に係るウェブページ解析方法は、ウェブページ解析装置が、ターゲット検索語を入力するステップと、前記入力されたターゲット検索語を検索クエリとして含む検索リクエストをネットワークに送信し、前記検索リクエストの検索結果を前記ネットワーク上の検索エンジンサーバ装置から取得するステップと、前記取得した検索結果内における表示順が上位の所定数のウェブページを解析対象ウェブページとし、前記所定数の解析対象ウェブページのＵＲＬを宛先とするリクエストを前記ネットワークに送信し、前記所定数の解析対象ウェブページの各々の構造を所定のマークアップ言語により記述したウェブページデータを取得するステップと、前記所定数の解析対象ウェブページの各々について、前記取得した当該解析対象ウェブページのウェブページデータの要素のコンテントを形態素ごとに分割する形態素解析処理と、形態素解析処理により得られた当該解析対象ウェブページ内の各形態素の業界用語としての特有度を所定の評価関数に基づき算定する特有度算定処理とを実行し、前記形態素ごとの特有度を提示するステップと、を有し、前記ウェブページ解析装置は、前記特有度算定処理において、ある検索語ｗｉの検索上位Ｎサイトにおいて、ある形態素ｍｊが使用されているサイト数をｎｉｊとし、その割合を次式により算出し、
【数３２】
2018181007.tif 000066
全ての検索語Ｗ＝（ｗ１、ｗ２、ｗ３…）それぞれの検索上位Ｎサイトにおいて、ある形態素ｍｊが使用される割合を次式により算出し、
【数３３】
2018181007.tif 000067
任意の形態素ｍｊの任意の検索語ｗｉにおける検索語特有度ｓｉｊを次式に示される評価関数により算出する
【数３４】
2018181007.tif 000068
ことを特徴とする。
【手続補正４】
【補正対象書類名】明細書
【補正対象項目名】００１３
【補正方法】変更
【補正の内容】
【００１３】
本発明の他の態様に係るプログラムは、コンピュータを、ターゲット検索語を入力する入力手段と、前記入力手段により入力されたターゲット検索語を検索クエリとして含む検索リクエストをネットワークに送信し、前記検索リクエストの検索結果を前記ネットワーク上の検索エンジンサーバ装置から取得する検索結果取得手段と、前記検索結果取得手段が取得した検索結果内における表示順が上位の所定数のウェブページを解析対象ウェブページとし、前記所定数の解析対象ウェブページのＵＲＬを宛先とするリクエストを前記ネットワークに送信し、前記所定数の解析対象ウェブページの各々の構造を所定のマークアップ言語により記述したウェブページデータを取得するウェブページデータ取得手段と、前記所定数の解析対象ウェブページの各々について、前記ウェブページデータ取得手段が取得した当該解析対象ウェブページのウェブページデータの要素のコンテントを形態素ごとに分割する形態素解析処理と、形態素解析処理により得られた当該解析対象ウェブページ内の各形態素の業界用語としての特有度を所定の評価関数に基づき算定する特有度算定処理とを実行し、前記形態素ごとの特有度を提示する解析手段として機能させ、前記解析手段は、前記特有度算定処理において、ある検索語ｗｉの検索上位Ｎサイトにおいて、ある形態素ｍｊが使用されているサイト数をｎｉｊとし、その割合を次式により算出し、
【数３５】
2018181007.tif 000069
全ての検索語Ｗ＝（ｗ１、ｗ２、ｗ３…）それぞれの検索上位Ｎサイトにおいて、ある形態素ｍｊが使用される割合を次式により算出し、
【数３６】
2018181007.tif 000070
任意の形態素ｍｊの任意の検索語ｗｉにおける検索語特有度ｓｉｊを次式に示される評価関数により算出する
【数３７】
2018181007.tif 000071
ことを特徴とする。